(57)【要約】      （修正有）【課題】弓的を設置場所の安土に固定する際の弓的の上下移動や上下揺動が繰り返されても、長串と短串とによる的枠周壁の挟持を維持することができる弓的固定用候串であって、長串と短串とを長手方向へ相対移動させることにより、短串端部を長串端部へ向けて付勢する候串を提供する。【解決手段】弓的１００を安土に固定するための候串２０であって、互いに作動係合し長手方向一端部で的枠を挟んで互いに略平行に延在する長短一対の串２１，２２と、前記長短一対の串が長手方向に相対移動した時に短串２２の長手方向他端部を長串２１に押し当てて長串から短串の長手方向他端部に法線力を印加させる第１手段２１ａと、長串又は短串に固定されて短串を支持し、長串と短串の長手方向相対移動を許容すると共に長串と短串とが含まれる平面に直交する軸線回りの短串の長串に対する相対回動を許容する第２手段２３とを備える【選択図】図３
2019215097.tif 000002
【特許請求の範囲】
【請求項１】
弓的を安土に固定するための候串であって、互いに作動係合し長手方向一端部で的枠を挟んで互いに略平行に延在する長短一対の串と、前記長短一対の串が長手方向に相対移動した時に短串の長手方向他端部を長串に押し当てて長串から短串の長手方向他端部に法線力を印加させる第１手段と、長串又は短串に固定されて短串を支持し、長串と短串の長手方向相対移動を許容すると共に長串と短串とが含まれる平面に直交する軸線回りの短串の長串に対する相対回動を許容する第２手段とを備えることを特徴とする候串。
【請求項２】
第１手段は長串の長手方向中央部に形成され長手方向他端部へ向けて肉厚が増加する傾斜部を有し、短串は肉薄の長手方向一端部と、肉厚の長手方向他端部と、長手方向一端部と長手方向他端部とを結ぶ段差部とを有し、第２手段は長串長手方向一端部の傾斜部近傍に固定され短串の長手方向他端部が挿通される筒体又はリングを有し、短串は段差部が形成された側面を長串の傾斜部が形成された側面に対峙させた状態で前記筒体又はリングに挿通されることを特徴とする請求項１に記載の候串。
【請求項３】
第１手段は長串の長手方向中央部に形成され長手方向他端部へ向けて肉厚が増加する傾斜部を有し、短串は肉薄の長手方向一端部と、肉厚の長手方向他端部と、長手方向一端部と長手方向他端部とを結ぶ段差部とを有し、第２手段は短串の肉厚部に固定され長串の長手方向一端部が挿通される筒体又はリングを有し、長串は傾斜部が形成された側面を短串の段差部が形成された側面に対峙させた状態で前記筒体又はリングに挿通されることを特徴とする請求項１に記載の候串。
【請求項４】
長串は長手方向一端部と長手方向他端部とを有し、短串は肉薄の長手方向一端部と、肉厚の長手方向他端部と、長手方向一端部と長手方向他端部とを結ぶ段差部とを有し、第１手段は、短串の肉厚部に且つ段差部が形成された側面とは反対側の側面に形成され長手方向一端部へ向けて肉厚が増加する傾斜部を有し、第２手段は長串長手方向一端部の近傍に固定され短串の長手方向他端部が挿通される筒体又はリングを有し、短串は段差部が形成された側面を長串の側面に対峙させた状態で前記筒体又はリングに挿通される。
【請求項５】
長串は長手方向一端部と長手方向他端部とを有し、短串は肉薄の長手方向一端部と、肉厚の長手方向中央部と、肉薄の長手方向他端部と、長手方向一端部と長手方向中央部とを結ぶ第１段差部と、長手方向中央部と長手方向他端部とを結ぶ第２段差部とを有し、第２段差部は第１段差部が形成された側面とは反対側の側面に形成され、第２手段は長串長手方向一端部の近傍に固定され短串の長手方向他端部及び中央部が挿通される筒体を有し、第１手段は筒体に形成された長串の長手方向他端部へ向けて長串に接近する傾斜部を有し、短串は第１段差部が形成された側面を長串の側面に対峙させ、第２段差部が形成された側面を筒体の傾斜部に対峙させた状態で筒体に挿通されることを特徴とする請求項１に記載の候串。
【発明の詳細な説明】
【技術分野】
【０００１】
本発明は、弓的を弓道場の安土に固定する際に使用する弓的固定用候串に関するものである。
【背景技術】
【０００２】
図１に示す薄肉短円筒状の的枠１に的紙２を貼り付けた弓的３を傾斜した設置場所４の安土５に固定するための候串であって、図２に示す略平行に延在する長短一対の串６、７と、短串７の一端部７ａと長串６の前記一端部７ａに対峙する部位６ａとの間に介挿されたスペーサ８と、短串７の一端部７ａと長串６の前記一端部７ａに対峙する部位６ａとスペーサ８とに掛け渡されて巻き付けられた紐９とを備え、短串７の他端部７ｂと長串６の前記他端部７ｂに対峙する一端部６ｂとの間に所定の隙間Ｓが形成されたことを特徴とする候串１０が、従来から使用されている。
弓的３を設置場所４の安土に固定する際には、隙間Ｓを押し広げつつ候串１０の長串６と短串７との間に的枠１の周壁を押し込んで的枠１の端面をスペーサ８に当接させると共に長串６と短串７とで的枠１の周壁を挟持させ、次いで、的紙２を鉛直に延在させ且つ候串１０の長串６の他端部６ｃを設置場所４の傾斜面に差し向け且つ的枠１周壁の候串１０が挟持した部位を上方へ差し向けて弓的３を両手で保持し、長串６を傾斜した設置場所４の安土５に押し込み、的枠１の下部を部分的に安土５に押し込んで、弓的３を設置場所４の安土５に安定的に固定する。
弓的３を設置場所４の安土５に固定する際に、弓的３の高さ方向取付け位置を微調整すべく、長串６を傾斜した設置場所４の安土５に押し込んだまま弓的３を上下方向に僅かに移動させ、或いは的紙２の傾斜を微調整すべく、長串６を傾斜した設置場所４の安土５に押し込んだまま弓的３を上下方向に僅かに揺動させる場合がある。従来構造の候串１０には、前述の弓的３の上下移動や上下揺動が繰り返されると、長短の串６、７の的枠１との係合部が経時劣化により塑性変形して隙間Ｓが増加し、長串６と短串７とで的枠１の周壁を挟持することができなくなるという問題があった。
上記課題を解決すべく、本出願人は特許文献１において、作動係合する長串と短串の間に楔部材を介在させ、楔部材を串の長手方向へ移動させて短串を回動させ短串端部を長串端部へ向けて付勢することを特徴とする弓的固定用候串を提案した。上記弓的固定用候串においては、弓的を設置場所の安土に固定する際の弓的の上下移動や上下揺動が繰り返されて短串と長串の的枠周壁との係合部が経時劣化により塑性変形したとしても、楔部材を更に移動させて短串端部を長串端部へ向けて更に付勢することにより、長串と短串とによる的枠周壁の挟持を維持することができる。
【先行技術文献】
【特許文献】
【０００３】
【特許文献１】特開２０１４−１０５９５５号公報
【発明の概要】
【発明が解決しようとする課題】
【０００４】
本発明は、楔部材を移動させるのに代えて、長串と短串とを長手方向へ相対移動させることにより、短串端部を長串端部へ向けて付勢することを特徴とする弓的固定用候串を提供することを目的とする。
【課題を解決するための手段】
【０００５】
上記課題を解決するために、本発明においては、弓的を安土に固定するための候串であって、互いに作動係合し長手方向一端部で的枠を挟んで互いに略平行に延在する長短一対の串と、前記長短一対の串が長手方向に相対移動した時に短串の長手方向他端部を長串に押し当てて長串から短串の長手方向他端部に法線力を印加させる第１手段と、長串又は短串に固定されて短串を支持し、長串と短串の長手方向相対移動を許容すると共に長串と短串とが含まれる平面に直交する軸線回りの短串の長串に対する相対回動を許容する第２手段とを備えることを特徴とする候串を提供する。
本発明に係る候串においては、短串は第２手段によって支持されて長串に作動係合している。第２手段は長串と短串の長手方向相対移動を許容するので、長短一対の串を長手方向に相対移動させると、第１手段により長串から短串の長手方向他端部に法線力が印加される。第２手段は長串と短串とが含まれる平面に直交する軸線回りの短串の回動を許容するので、第２手段による支持点を中心にして前記軸線回りに短串が回動し、短串の長手方向一端部が長串の長手方向一端部へ向けて付勢される。
【０００６】
本発明の好ましい態様においては、第１手段は長串の長手方向中央部に形成され長手方向他端部へ向けて肉厚が増加する傾斜部を有し、短串は肉薄の長手方向一端部と、肉厚の長手方向他端部と、長手方向一端部と長手方向他端部とを結ぶ段差部とを有し、第２手段は長串長手方向一端部の傾斜部近傍に固定され短串の長手方向他端部が挿通される筒体又はリングを有し、短串は段差部が形成された側面を長串の傾斜部が形成された側面に対峙させた状態で前記筒体又はリングに挿通される。
本発明の好ましい態様においては、第１手段は長串の長手方向中央部に形成され長手方向他端部へ向けて肉厚が増加する傾斜部を有し、短串は肉薄の長手方向一端部と、肉厚の長手方向他端部と、長手方向一端部と長手方向他端部とを結ぶ段差部とを有し、第２手段は短串の肉厚部に固定され長串の長手方向一端部が挿通される筒体又はリングを有し、長串は傾斜部が形成された側面を短串の段差部が形成された側面に対峙させた状態で前記筒体又はリングに挿通される。
上記構成によれば、長短一対の串を、他端部同士が接近する方向へ長手方向に相対移動させると、短串の他端部が長串の傾斜部に乗り上げ、傾斜部から法線力を印加される。短串は筒体又はリングによる支持点を中心にして回動し、短串の長手方向一端部が長串の長手方向一端部へ向けて付勢される。
【０００７】
本発明の好ましい態様においては、長串は長手方向一端部と長手方向他端部とを有し、短串は肉薄の長手方向一端部と、肉厚の長手方向他端部と、長手方向一端部と長手方向他端部とを結ぶ段差部とを有し、第１手段は、短串の肉厚部に且つ段差部が形成された側面とは反対側の側面に形成され長手方向一端部へ向けて肉厚が増加する傾斜部を有し、第２手段は長串長手方向一端部の近傍に固定され短串の長手方向他端部が挿通される筒体又はリングを有し、短串は段差部が形成された側面を長串の側面に対峙させた状態で前記筒体又はリングに挿通される。
上記構成によれば、長短一対の串を、他端部同士が接近する方向へ長手方向に相対移動させると、筒体又はリングが短串の傾斜部に乗り上げ、短串の傾斜部が長串方向へ押され、ひいて短串の長手方向他端部の先端が長串に押しつけられて、長串から短串の長手方向他端部の先端に法線力が印加される。短串は筒体又はリングによる支持点を中心にして回動し、短串の長手方向一端部が長串の長手方向一端部へ向けて付勢される。
本発明の好ましい態様においては、長串は長手方向一端部と長手方向他端部とを有し、短串は肉薄の長手方向一端部と、肉厚の長手方向中央部と、肉薄の長手方向他端部と、長手方向一端部と長手方向中央部とを結ぶ第１段差部と、長手方向中央部と長手方向他端部とを結ぶ第２段差部とを有し、第２段差部は第１段差部が形成された側面とは反対側の側面に形成され、第２手段は長串長手方向一端部の近傍に固定され短串の長手方向他端部及び中央部が挿通される筒体を有し、第１手段は筒体に形成された長串の長手方向他端部へ向けて長串に接近する傾斜部を有し、短串は第１段差部が形成された側面を長串の側面に対峙させ、第２段差部が形成された側面を筒体の傾斜部に対峙させた状態で筒体に挿通される。
上記構成によれば、長短一対の串を、他端部同士が接近する方向へ長手方向に相対移動させると、短串の第２段差部が筒体の傾斜部に乗り上げ、短串の第２段差部が長串方向へ押され、ひいて短串の長手方向他端部の先端が長串に押しつけられて、長串から短串の長手方向他端部の先端に法線力が印加される。短串は筒体による支持点を中心にして回動し、短串の長手方向一端部が長串の長手方向一端部へ向けて付勢される。
【図面の簡単な説明】
【０００８】
【図１】弓的の構成と、設置要領とを示す図である。（ａ）は的枠の斜視図であり、（ｂ）は的紙の正面図であり、（ｃ）は的紙を的枠に取り付けて完成した弓的の斜視図であり、（ｄ）は設置場所の安土に固定された弓的の側面図である。
【図２】従来構造の弓的固定用候串の側面図である。
【図３】本発明の第１実施例に係る弓的固定用候串の構造図である。（ａ）は側面図であり、（ｂ）は的枠に取り付けられる途上の状態の側面図であり、（ｃ）は的枠に取り付けられた状態の側面図である。
【図４】本発明の第２実施例に係る弓的固定用候串の構造図である。（ａ）は側面図であり、（ｂ）は的枠に取り付けられる途上の状態の側面図であり、（ｃ）は的枠に取り付けられた状態の側面図である。
【図５】本発明の第３実施例に係る弓的固定用候串の構造図である。（ａ）は側面図であり、（ｂ）は的枠に取り付けられる途上の状態の側面図であり、（ｃ）は的枠に取り付けられた状態の側面図である。
【図６】本発明の第４実施例に係る弓的固定用候串の構造図である。（ａ）は側面図であり、（ｂ）は的枠に取り付けられる途上の状態の側面図であり、（ｃ）は的枠に取り付けられた状態の側面図である。
【発明を実施するための形態】
【０００９】
本発明の第１実施例に係る弓的固定用候串を説明する。
図３（ａ）に示すように、弓的固定用候串２０は、略平行に延在する長短一対の串２１、２２と、長串２１に固定された筒体２３とを備えている。長串２１の長手方向中央部に、長手方向一端部から長手方向他端部へ向けて肉厚が増加する傾斜部２１ａが形成されている。短串２２は、肉薄の長手方向一端部２２ａと、肉厚の長手方向他端部２２ｂと、長手方向一端部と長手方向他端部とを結ぶ段差部２２ｃとを有している。筒体２３は、長串２１の長手方向一端部の傾斜部２１ａ近傍に固定されている。短串２２は、段差部２２ｃが形成された側面を長串２１の傾斜部２１ａが形成された側面に対峙させた状態で、筒体２３に挿通されている。長手方向他端部２２ｂの段差部２２ｃが形成された側面とは反対側の側面が筒体２３の内面に当接しており、短串２２の長手方向他端部２２ｂは長串２１に隙間を隔てて対峙している。
【００１０】
候串２０の作動を説明する。
図３（ｂ）に示すように、長串２１の長手方向一端部２１ｂと短串２２の長手方向一端部２２ａの間の隙間を押し広げつつ当該隙間に的枠１００の周壁を挿入し、周壁の端面を短串の段差部２２ｃに当接させる。
図３（ｃ）に示すように、長串２１を的枠１００に押し込んで、短串２２を長串２１の長手方向他端部の方向へ、長串２１に対して相対移動させる。短串２２の長手方向他端部２２ｂの先端が長串２１の傾斜部２１ａに乗り上げ、傾斜部２１ａから長手方向他端部２２ｂの先端に法線力Ｆが印加される。この結果、短串２２が、筒体２３端部の支持点Ｓを中心にして、長串２１と短串２２とが含まれる平面に直交する軸線、即ち図３（ｃ）の紙面に直交する軸線、回りに図３（ｃ）で見て時計回りに回動し、短串２２の長手方向一端部２２ａが長串２１の長手方向一端部２１ｂへ向けて付勢される。
候串２０においては、弓的を設置場所の安土に固定する際の弓的の上下移動や上下揺動が繰り返されて長串２１の長手方向一端部２１ｂと短串２２の長手方向一端部２２ａと的枠１００の周壁との係合部が経時劣化により塑性変形したとしても、長串２１を更に的枠１００に押し込んで、短串２２を支持点Ｓの回りに更に回動させ、短串２２の長手方向一端部２２ａを長串２１の長手方向一端部２１ｂへ向けて更に付勢することにより、長串２１と短串２２とによる的枠１００周壁の挟持を維持することができる。
【００１１】
本発明の第２実施例に係る弓的固定用候串を説明する。
図４（ａ）に示すように、弓的固定用候串２０’においては、短串２２の肉厚の長手方向他端部２２ｂに筒体２３が固定されており、長串２１の長手方向一端部２１ｂが筒体２３に挿通されている。長串２１の傾斜部２１ａが形成された側面とは反対側の側面が筒体２３の内面に当接している。上記を除き、第２実施例に係る候串２０’’の構成は第1実施例に係る候串２０の構成と同一である。
候串２０’の作動は以下の通りである。
図４（ｂ）に示すように、長串２１の長手方向一端部２１ｂと短串２２の長手方向一端部２２ａの間の隙間を押し広げつつ当該隙間に的枠１００の周壁を挿入し、周壁の端面を短串の段差部２２ｃに当接させる。
図４（ｃ）に示すように、長串２１を的枠１００に押し込んで、短串２２を長串２１の長手方向他端部の方向へ、長串２１に対して相対移動させる。短串２２の長手方向他端部２２ｂの先端が長串２１の傾斜部２１ａに乗り上げ、傾斜部２１ａから長手方向他端部２２ｂの先端に法線力Ｆが印加される。この結果、短串２２が、筒体２３端部の支持点Ｓ’を中心にして、長串２１と短串２２とが含まれる平面に直交する軸線、即ち図４（ｃ）の紙面に直交する軸線、回りに図４（ｃ）で見て時計回りに回動し、短串２２の長手方向一端部２２ａが長串２１の長手方向一端部２１ｂへ向けて付勢される。
【００１２】
本発明の第３実施例に係る弓的固定用候串を説明する。
図５（ａ）に示すように、第３実施例に係る弓的固定用候串２０”においては、長串２１は傾斜部を有さない。短串２２は、肉薄の長手方向一端部２２ａと、肉厚の長手方向他端部２２ｂと、長手方向一端部と長手方向他端部とを結ぶ段差部と２２ｃと、肉厚の長手方向他端部２２ｂの段差部２２ｃが形成された側面とは反対側の側面に形成され長手方向一端部２２ａへ向けて肉厚が増加する傾斜部２２ｄとを有している。長串２１の長手方向一端部２１ｂの近傍に筒体２３が固定されている。短串２２は、段差部２２ｃが形成された側面を長串２１の側面に対峙させた状態で筒体２３に挿通されている。短串２２の長手方向他端部２２ｂは長串２１に隙間を隔てて対峙している。
候串２０”の作動は以下の通りである。
図５（ｂ）に示すように、長串２１の長手方向一端部２１ｂと短串２２の長手方向一端部２２ａの間の隙間に的枠１００の周壁を挿入し、周壁の端面を短串の段差部２２ｃに当接させる。
図５（ｃ）に示すように、長串２１を的枠１００に押し込んで、短串２２を長串２１の長手方向他端部の方向へ、長串２１に対して相対移動させる。筒体２３が短串２２の傾斜部２２ｄに乗り上げ、短串の傾斜部２２ｄが長串２１の方向へ押され、ひいて長手方向他端部２２ｂの先端が長串２１に押しつけられて、長串２１から短串長手方向他端部２２ｂの先端に法線力Ｆが印加される。短串２２は筒体２３端部の支持点Ｓ”を中心にして、長串２１と短串２２とが含まれる平面に直交する軸線、即ち図５（ｃ）の紙面に直交する軸線、回りに図５（ｃ）で見て時計回りに回動し、短串２２の長手方向一端部２２ａが長串２１の長手方向一端部２１ｂへ向けて付勢される。
【００１３】
本発明の第４実施例に係る弓的固定用候串を説明する。
図６（ａ）に示すように、第４実施例に係る弓的固定用候串２０Ａにおいては、長串２１は傾斜部を有さない。短串２２は、肉薄の長手方向一端部２２ａと、肉厚の長手方向中央部２２ｅと、薄肉の長手方向他端部２２ｆと、長手方向一端部と長手方向中央部とを結ぶ第１段差部と２２ｇと、長手方向中央部と長手方向他端部とを結ぶ第２段差部２２ｈとを有している。第２段差部２２ｈは第１段差部２２ｇが形成された側面とは反対側の側面に形成されている。長串２１の長手方向一端部２１ｂの近傍に筒体２３が固定されている。筒体２３には長串２１の長手方向他端部へ向けて長串２１に接近する傾斜部２３ａが形成されている。短串２２は、第１段差部２２ｇが形成された側面を長串２１の側面に対峙させ、第２段差部２２ｈが形成された側面を筒体２３の傾斜部２３ａに対峙させた状態で筒体２３に挿通されている。短串２２の長手方向中央部２２ｅと長手方向他端部２２ｆは長串２１に隙間を隔てて対峙している。
候串２０Ａの作動は以下の通りである。
図６（ｂ）に示すように、長串２１の長手方向一端部２１ｂと短串２２の長手方向一端部２２ａの間の隙間に的枠１００の周壁を挿入し、周壁の端面を短串の第１段差部２２ｇに当接させる。
図６（ｃ）に示すように、長串２１を的枠１００に押し込んで、短串２２を長串２１の長手方向他端部の方向へ、長串２１に対して相対移動させる。短串２２の第２段差部２２ｈが筒体２３の傾斜部２３ａに乗り上げ、第２段差部２２ｈが長串２１の方向へ押され、ひいて長手方向他端部２２ｆの先端が長串２１に押しつけられて、長串２１から短串長手方向他端部２２ｆの先端に法線力Ｆが印加される。短串２２は筒体２３の支持点ＳＡを中心にして、長串２１と短串２２とが含まれる平面に直交する軸線、即ち図６（ｃ）の紙面に直交する軸線、回りに図６（ｃ）で見て時計回りに回動し、短串２２の長手方向一端部２２ａが長串２１の長手方向一端部２１ｂへ向けて付勢される。
【００１４】
第１〜第３実施例において、筒体２３に代えてリングを使用しても良い。
第１実施例において、図３（ａ）に示すように、短串長手方向他端部２２ｂの先端部に抜け止め部材２４を着脱可能に取り付けても良い。他の実施例でも同様である。
第１実施例において、端串の長手方向一端部２２ａを長手方向他端部２２ｂに対して僅かに折り曲げ、或いは長手方向一端部２２ａを僅かに湾曲させて、長手方向一端部２２ａの先端を長串２１に接近させても良い。短串が回動する際に長手方向一端部２２ａの先端部が的枠１００周壁に強く当接し、的枠１００周壁を強く挟持することがでる。他の実施例でも同様である。
【産業上の利用可能性】
【００１５】
本発明は、弓的固定用候串に広く利用可能である。
【符号の説明】
【００１６】
１  的枠
２  的紙
３  弓的
４  弓的の設置場所
５  安土
６、２１  長串
７、２２  短串
８  スペーサ
Ｓ  隙間
２０、２０’、２０”、２０Ａ  候串
２１ａ  傾斜部
２２ｃ  段差部
２２ｄ  傾斜部
２２ｇ  第１段差部
２２ｈ  第２段差部
２３  筒体
２３ａ  傾斜部
【図１】
2019215097.tif 000003
【図２】
2019215097.tif 000004
【図３】
2019215097.tif 000005
【図４】
2019215097.tif 000006
【図５】
2019215097.tif 000007
【図６】
2019215097.tif 000008